(57)【要約】【課題】  防水パン内に設置される洗濯機に隣接して設置することができ、洗濯機周辺のスペースを有効利用可能な収納ケース及び該収納ケースに適用されるアジャスターの提供。【解決手段】  本考案の収納ケースＡは、内部が中空で前方に開口したボックス形状で、底板１ａの左右両側の前後に下方に開口した取付穴１ｂが形成されたケース本体１と、取付穴１ｂに嵌合され取り付けられる取付部２３と、この取付部２３に対して上下方向に進退可能にねじ込まれる調整材２４とを備える。そして、底板１ａの左右いずれか一方側に取り付けられるアジャスター２の下端に形成された当接部２ｅが、洗濯機Ｓの防水パンＰ内の底面Ｐ１に当接されるとともに、他方側に嵌合されたアジャスター２の当接部２ｅが、防水パンＰ外の床面Ｆに当接され、ケース本体１が、防水パンＰの周壁Ｐ２を跨いで配置されることを特徴とする。【選択図】      図４
0003106006.tif 000002
【実用新案登録請求の範囲】
【請求項１】
内部が中空で前方に開口したボックス形状で、底板の左右両側の前後に下方に開口して取付穴が形成されたケース本体に適用されるアジャスターであって、
前記取付穴に嵌合され取り付けられる取付部と、
前記取付部に対して上下方向に進退可能にねじ込まれる調整材と、
を備え、
前記底板の左右いずれか一方側に取り付けられる取付部の調整材は、その下端部が洗濯機の防水パン内の底面への当接部とされるとともに、他方側に取り付けられる取付部の調整材は、その下端部が洗濯機の防水パン外の床面への当接部とされ、
前記ケース本体が、洗濯機の防水パンの周壁を跨いで配置されることを特徴とするアジャスター。
【請求項２】
内部が中空で前方に開口したボックス形状で、底板の左右両側の前後に下方に開口した取付穴が形成されたケース本体と、
前記底板の取付穴に嵌合され取り付けられる取付部と、この取付部に対して上下方向に進退可能にねじ込まれる調整材とを有するアジャスターと、
を備え、
前記底板の左右いずれか一方側に取り付けられるアジャスターの下端部が、洗濯機の防水パン内の底面への当接部とされるとともに、他方側に取り付けられるアジャスターの下端部が、洗濯機の防水パン外の床面への当接部とされ、
前記ケース本体が、洗濯機の防水パンの周壁を跨いで配置されることを特徴とする収納ケース。
【考案の詳細な説明】
【技術分野】
【０００１】
本考案は、防水パン内に設置された洗濯機に隣接して設置することが可能な収納ケース及び該収納ケースに適用されるアジャスターに関する。
【背景技術】
【０００２】
従来から、洗濯機の傍に設置され、洗濯機から洗濯物の出し入れを容易に行うようにする籠付きワゴンが提案されている（特許文献１参照）。
【特許文献１】特開２００２−１９１４４６号公報
【考案の開示】
【考案が解決しようとする課題】
【０００３】
上記で提案されている籠付きワゴンは、籠を載置可能な天板と、床面上を移動自在にするためのキャスターを備えた底板と、天板と底板との間に形成され籠を出し入れ自在な収納空間を有しており、この収納空間に通ずる開口部が、当該収納空間に収納した状態の籠内へ洗濯物を投入可能な大きさに設定されている。
【０００４】
ところで、洗濯機は、防水パン内に設置されることがしばしばあるが、この場合、上記で提案されている籠付きワゴンは、底板にキャスターを備えているので、洗濯機に隣接して設置できないという問題があり、洗濯機周辺のスペースを有効に利用することが難しかった。
【０００５】
本考案は、かかる事情に鑑みてなされたものであり、防水パン内に設置される洗濯機に隣接して設置することができ、洗濯機周辺のスペースを有効利用可能な収納ケース及び該収納ケースに適用されるアジャスターの提供を目的とする。
【課題を解決するための手段】
【０００６】
上記の課題を解決するため、本考案のアジャスターは、内部が中空で前方に開口したボックス形状で、底板の左右両側の前後に下方に開口して取付穴が形成されたケース本体に適用されるアジャスターであって、前記取付穴に嵌合され取り付けられる取付部と、前記取付部に対して上下方向に進退可能にねじ込まれる調整材とを備え、前記底板の左右いずれか一方側に取り付けられる取付部の調整材は、その下端部が洗濯機の防水パン内の底面への当接部とされるとともに、他方側に取り付けられる取付部の調整材は、その下端部が洗濯機の防水パン外の床面への当接部とされ、前記ケース本体が、洗濯機の防水パンの周壁を跨いで配置されることを特徴とする。
【０００７】
もしくは、上記の課題を解決するため、本考案の収納ケースは、内部が中空で前方に開口したボックス形状で、底板の左右両側の前後に下方に開口した取付穴が形成されたケース本体と、前記底板の取付穴に嵌合され取り付けられる取付部と、この取付部に対して上下方向に進退可能にねじ込まれる調整材とを有するアジャスターとを備え、前記底板の左右いずれか一方側に取り付けられるアジャスターの下端部が、洗濯機の防水パン内の底面への当接部とされるとともに、他方側に取り付けられるアジャスターの下端部が、洗濯機の防水パン外の床面への当接部とされ、前記ケース本体が、洗濯機の防水パンの周壁を跨いで配置されることを特徴とする。
【考案の効果】
【０００８】
本考案によれば、ケース本体を、防水パン内に設置される洗濯機に隣接して配置させることが可能である。通常、防水パンは、洗濯機よりもやや大きめに設計されていることから、この余ったスペースを有効利用することが可能となる。
【考案を実施するための最良の形態】
【０００９】
以下、本考案のアジャスター及び収納ケースについて、図面を参照しながら説明するが、本考案はこれらの実施例に記載されたもののみに限定されるものではない。
【００１０】
図１は、本考案の一実施例である収納ケースＡの外観斜視図である。本実施例の収納ケースＡは、ケース本体１と、ケース本体１の底板１ａに取り付けられるアジャスター２，２，２，２を備えている。
【００１１】
ケース本体１は、内部が中空で前方に開口したボックス形状の容器であり、収納ケースＡは、ケース本体１の上に他のケース本体３を積み重ねた構成としているが、使用状況に応じて、複数個のケース本体３を上に積み重ねてもよいし、ケース本体１を一段だけとしてもよい。ケース本体１の上に他のケース本体３を積み重ねた構成とする場合、ケース本体１に蓋を取り付けてから、他のケース本体３を単に載置する構成でもよいが、本実施例のように、ケース本体１の上面に蓋を設ける代わりに、他のケース本体３の下端縁をはめ込んで連結し、最上段のケース本体３の上面のみに蓋４を設ける構成とするのが好ましい。一方、ケース本体１を一段だけで使用する場合は、ケース本体１の上面に蓋４を設ける構成とすればよい。また、ケース本体１の奥行き及び横幅についても、使用状況に応じて適宜設定すればよい。
【００１２】
本実施例では、ケース本体１，３内に引出し５，６を着脱可能に取り付けているが、引出し５，６を使用せず、ケース本体１，３をラック式に用いてもよいし、引出し５，６の代わりに籠などを載置させてもよい。
【００１３】
図２は、ケース本体１の底板１ａの下面を示す拡大斜視図であり、アジャスター２の取り付け方法を示す図である。また、図３は、アジャスター２の縦断面図である。これらの図に示すように、アジャスター２は、嵌合部材２１と筒状部材２２とからなる取付部２３と、調整材２４とから構成されている。棒状の嵌合部材２１の中央付近には、径方向外側に延出してストッパー２ａが形成されており、このストッパー２ａより上方は、ケース本体１への嵌合部２ｂとされ、下方は筒状部材２２へのねじ込部２ｃとされる。本実施例では、ストッパー２ａは、円板状とされている。調整材２４は、外周面が螺子部に形成された棒状部２ｄと、この棒状部２ｄの下端に形成される当接部２ｅとから構成され、本実施例では、当接部２ｅは、円板状とされている。筒状部材２２の中央穴は、螺子穴に形成されており、上方から嵌合部材２１のねじ込部２ｃがねじ込まれて固定され、下方から調整材２４の棒状部２ｄが上下方向に進退可能にねじ込まれている。この棒状部２ｄのねじ込み具合を調整することで、上下方向に長さを調整することができる。なお、嵌合部材２１と筒状部材２２とからなる取付部２３は、一体成形されていてもよい。
【００１４】
一方、ケース本体１の底板１ａの左右両側の前後には、下方に開口した取付穴１ｂが形成されており、図２に示すように、この取付穴１ｂの下方から、アジャスター２の嵌合部２ｂをストッパー２ａに達するまで差し込み、嵌合され取り付けられる。ここで、アジャスター２の嵌合部２ｂの上部は、図３に示すように、上方へ行くに従って縮径した先細に形成されており、その上端部には、ケース本体１の取付穴１ｂへの抜け止め部が形成されている。
【００１５】
図４は、本考案の収納ケースＡの設置状態を示す図である。収納ケースＡの設置方法は、ケース本体１が、洗濯機の防水パンＰの周壁Ｐ２を跨いで配置されるように、各アジャスター２の長さを調整する。具体的には、本実施例では、正面から見て左側に取り付けられたアジャスター２の当接部２ｅを、防水パンＰ内の底面Ｐ１と当接させるとともに、正面から見て右側に取り付けられたアジャスター２の当接部２ｅを、防水パンＰ外の床面Ｆと当接させる。そして、ケース本体１が、防水パンＰの周壁Ｐ２の上方で床面とほぼ平行になるように、各アジャスター２の調整材２４の棒状部２ｄのねじ込み具合を調整する。
【００１６】
ここで、アジャスター２は、当接部２ｅの下面からストッパー２ａの下端までの長さが、少なくとも床面Ｆから防水パンＰの周壁Ｐ２の上端を越える長さに調整可能であることが必要である。なお、通常、防水パンＰ２の周壁の高さは、約８０ｍｍ程度であり、防水パンＰ内の底面Ｐ１と床面Ｆとの段差は、約１０ｍｍ程度である。
【００１７】
以上説明したように、ケース本体１は、その底板１ａの左右両側の前後にアジャスター２を備えているので、左右いずれか一方側に嵌合されたアジャスター２の当接部２ｅを防水パンＰ内の底面Ｐ１に当接させ、他方側に嵌合されたアジャスター２の当接部２ｅを防水パンＰ外の床面Ｆと当接させることで、ケース本体１が防水パンＰの周壁Ｐ２を跨ぎ、防水パンＰ内に設置された洗濯機Ｓに隣接して配置させることが可能である。通常、防水パンＰは、洗濯機Ｓよりもやや大きめに設計されており、この余ったスペースを有効利用することが可能となる。また、ケース本体１の上面にも籠等を置くことができ、洗濯機Ｓから洗濯物の出し入れも容易に行うことができる。
【図面の簡単な説明】
【００１８】
【図１】本考案の収納ケースの一実施例を示す概観斜視図である。
【図２】図１の収納ケースのケース本体の底板の下面を示す拡大斜視図であり、本考案の収納ケースのアジャスターの取り付け方法を示す図である。
【図３】図２のアジャスターの縦断面図である。
【図４】本考案の収納ケースの設置状態を示す正面図である。
【符号の説明】
【００１９】
１    ケース本体
２    アジャスター
３    ケース本体
４    蓋
５    引出し
６    引出し
１ａ  底板
１ｂ  取付穴
２１  嵌合部材
２２  筒状部材
２３  取付部
２４  調整材
２ａ  ストッパー
２ｂ  嵌合部
２ｃ  ねじ込部
２ｄ  棒状部
２ｅ  当接部
Ａ    収納ケース
Ｆ    床面
Ｐ    防水パン
Ｐ１  底面
Ｐ２  周壁
Ｓ    洗濯機
【図１】
0003106006.tif 000003
【図２】
0003106006.tif 000004
【図３】
0003106006.tif 000005
【図４】
0003106006.tif 000006